(57)【要約】【課題】  空間内の冷え過ぎを抑制でき、且つ人の快適性を向上させるための温熱環境制御の精度を向上させた環境制御装置、および環境制御システムを提供する。【解決手段】  環境制御装置１のコントローラ１１は、空間８内が冷え過ぎた場合、屋外における人の体感温度を表す体感温度指標Ｔ２が屋内における人の体感温度を表す体感温度指標Ｔ１より低ければ、空調装置２１による冷房運転をオフ制御、自然換気装置２３による自然換気動作をオフ制御し、体感温度指標Ｔ１が体感温度指標Ｔ２より低ければ、冷房運転をオフ制御、自然換気動作をオン制御する。【選択図】図１
2015094538.tif 000002
【特許請求の範囲】
【請求項１】
空間の内部を冷房する冷房運転を行う空調装置、前記空間の内部と前記空間の外部との間で自然換気動作を行う自然換気装置を、前記空間の内部における人の体感温度を表す第１の体感温度指標、および前記空間の外部における人の体感温度を表す第２の体感温度指標に基づいて制御する環境制御装置であって、
前記第１の体感温度指標と前記第２の体感温度指標とを比較した第１の比較結果、前記第１の体感温度指標を、第１の閾値、前記第１の閾値以下である第２の閾値、前記第２の閾値未満である第３の閾値のそれぞれと比較した第２の比較結果に基づいて、前記空調装置の前記冷房運転および前記自然換気装置の前記自然換気動作をそれぞれ制御するコントローラを備え、
前記コントローラは、
前記第１の体感温度指標が前記第１の閾値以上である場合、前記冷房運転をオン制御、前記自然換気動作をオフ制御し、
前記第１の体感温度指標が前記第２の閾値未満、前記第３の閾値以上である場合、前記第２の体感温度指標が前記第１の体感温度指標より低ければ、前記冷房運転をオフ制御、前記自然換気動作をオン制御し、前記第１の体感温度指標が前記第２の体感温度指標より低ければ、前記冷房運転をオフ制御、前記自然換気動作をオフ制御し、
前記第１の体感温度指標が前記第３の閾値未満である場合、前記第２の体感温度指標が前記第１の体感温度指標より低ければ、前記冷房運転をオフ制御、前記自然換気動作をオフ制御し、前記第１の体感温度指標が前記第２の体感温度指標より低ければ、前記冷房運転をオフ制御、前記自然換気動作をオン制御する
ことを特徴とする環境制御装置。
【請求項２】
前記第１の体感温度指標は、前記空間の内部の温度と湿度に基づいて導出された値であり、前記第２の体感温度指標は、前記空間の外部の温度と湿度とに基づいて導出された値であることを特徴とする請求項１記載の環境制御装置。
【請求項３】
前記第１の体感温度指標は、前記空間の内部の温度と湿度と風速とに基づいて導出された値であり、前記第２の体感温度指標は、前記空間の外部の温度と湿度と風速とに基づいて導出された値であることを特徴とする請求項１記載の環境制御装置。
【請求項４】
前記コントローラは、前記第１の比較結果、前記第２の比較結果に基づいて、前記空調装置の前記冷房運転、および前記自然換気装置の前記自然換気動作、および前記空間の内部と前記空間の外部との間で機械換気動作を行う機械換気装置の前記機械換気動作をそれぞれ制御し、
前記第２の閾値は、前記第１の閾値未満であり、
前記コントローラは、前記第１の体感温度指標が前記第１の閾値未満、前記第２の閾値以上である場合、前記第２の体感温度指標が前記第１の体感温度指標より低ければ、前記冷房運転をオフ制御、前記機械換気動作をオン制御し、前記第１の体感温度指標が前記第２の体感温度指標より低ければ、前記冷房運転をオフ制御、前記自然換気動作をオフ制御、前記機械換気動作をオフ制御する
ことを特徴とする請求項１乃至３いずれか記載の環境制御装置。
【請求項５】
空間の内部を冷房する冷房運転を行う空調装置と、
前記空間の内部と前記空間の外部との間で自然換気動作を行う自然換気装置と、
前記空間の内部における人の体感温度を表す第１の体感温度指標、および前記空間の外部における人の体感温度を表す第２の体感温度指標を導出する指標導出部と、
前記第１の体感温度指標と前記第２の体感温度指標とを比較した第１の比較結果、前記第１の体感温度指標を、第１の閾値、前記第１の閾値以下である第２の閾値、前記第２の閾値未満である第３の閾値のそれぞれと比較した第２の比較結果に基づいて、前記空調装置の前記冷房運転および前記自然換気装置の前記自然換気動作をそれぞれ制御する環境制御装置とを備え、
前記環境制御装置は、
前記第１の体感温度指標が前記第１の閾値以上である場合、前記冷房運転をオン制御、前記自然換気動作をオフ制御し、
前記第１の体感温度指標が前記第２の閾値未満、前記第３の閾値以上である場合、前記第２の体感温度指標が前記第１の体感温度指標より低ければ、前記冷房運転をオフ制御、前記自然換気動作をオン制御し、前記第１の体感温度指標が前記第２の体感温度指標より低ければ、前記冷房運転をオフ制御、前記自然換気動作をオフ制御し、
前記第１の体感温度指標が前記第３の閾値未満である場合、前記第２の体感温度指標が前記第１の体感温度指標より低ければ、前記冷房運転をオフ制御、前記自然換気動作をオフ制御し、前記第１の体感温度指標が前記第２の体感温度指標より低ければ、前記冷房運転をオフ制御、前記自然換気動作をオン制御する
ことを特徴とする環境制御システム。
【発明の詳細な説明】
【技術分野】
【０００１】
本発明は、空間の内部の温熱環境を制御する環境制御装置、および環境制御システムに関するものである。
【背景技術】
【０００２】
従来、環境制御システムにおける冷房運転の対象となる居室、オフィス、工場等の空間内において、夜更けの冷え込み等によって室内温度が目標温度より低くなり、室内の温熱環境が冷え過ぎになって、快適な温熱環境を維持することができなくなる場合がある。
【０００３】
そこで、冷房時、室内から空調機に戻される換気の温度（換気温度）が目標温度より低い場合に、外気温度が換気温度より高く、目標温度より低ければ、空調機による冷房運転を行わずに、外気を室内に給気する構成が提案された（例えば、特許文献１参照）。すなわち、特許文献１の構成では、室内の温熱環境が冷え過ぎになった場合、内気より外気のほうが暖かければ、この比較的暖かい外気を室内に取り込んで、室内の温熱環境を調整していた。
【先行技術文献】
【特許文献】
【０００４】
【特許文献１】特開平６−２７２９４０号公報
【発明の概要】
【発明が解決しようとする課題】
【０００５】
しかしながら、従来の構成では、空調空間内の冷え過ぎを抑制できるが、人が暑さ、寒さを感じる温熱感覚を考慮した制御がなされておらず、人の快適性を向上させるための温熱環境制御の精度が低いものであった。
【０００６】
本発明は、上記事由に鑑みてなされたものであり、その目的は、空間内の冷え過ぎを抑制でき、且つ人の快適性を向上させるための温熱環境制御の精度を向上させた環境制御装置、および環境制御システムを提供することにある。
【課題を解決するための手段】
【０００７】
本発明の環境制御装置は、空間の内部を冷房する冷房運転を行う空調装置、前記空間の内部と前記空間の外部との間で自然換気動作を行う自然換気装置を、前記空間の内部における人の体感温度を表す第１の体感温度指標、および前記空間の外部における人の体感温度を表す第２の体感温度指標に基づいて制御する環境制御装置であって、前記第１の体感温度指標と前記第２の体感温度指標とを比較した第１の比較結果、前記第１の体感温度指標を、第１の閾値、前記第１の閾値以下である第２の閾値、前記第２の閾値未満である第３の閾値のそれぞれと比較した第２の比較結果に基づいて、前記空調装置の前記冷房運転および前記自然換気装置の前記自然換気動作をそれぞれ制御するコントローラを備え、前記コントローラは、前記第１の体感温度指標が前記第１の閾値以上である場合、前記冷房運転をオン制御、前記自然換気動作をオフ制御し、前記第１の体感温度指標が前記第２の閾値未満、前記第３の閾値以上である場合、前記第２の体感温度指標が前記第１の体感温度指標より低ければ、前記冷房運転をオフ制御、前記自然換気動作をオン制御し、前記第１の体感温度指標が前記第２の体感温度指標より低ければ、前記冷房運転をオフ制御、前記自然換気動作をオフ制御し、前記第１の体感温度指標が前記第３の閾値未満である場合、前記第２の体感温度指標が前記第１の体感温度指標より低ければ、前記冷房運転をオフ制御、前記自然換気動作をオフ制御し、前記第１の体感温度指標が前記第２の体感温度指標より低ければ、前記冷房運転をオフ制御、前記自然換気動作をオン制御することを特徴とする。
【０００８】
この発明において、前記第１の体感温度指標は、前記空間の内部の温度と湿度に基づいて導出された値であり、前記第２の体感温度指標は、前記空間の外部の温度と湿度とに基づいて導出された値であることが好ましい。
【０００９】
この発明において、前記第１の体感温度指標は、前記空間の内部の温度と湿度と風速とに基づいて導出された値であり、前記第２の体感温度指標は、前記空間の外部の温度と湿度と風速とに基づいて導出された値であることが好ましい。
【００１０】
この発明において、前記コントローラは、前記第１の比較結果、前記第２の比較結果に基づいて、前記空調装置の前記冷房運転、および前記自然換気装置の前記自然換気動作、および前記空間の内部と前記空間の外部との間で機械換気動作を行う機械換気装置の前記機械換気動作をそれぞれ制御し、前記第２の閾値は、前記第１の閾値未満であり、前記コントローラは、前記第１の体感温度指標が前記第１の閾値未満、前記第２の閾値以上である場合、前記第２の体感温度指標が前記第１の体感温度指標より低ければ、前記冷房運転をオフ制御、前記機械換気動作をオン制御し、前記第１の体感温度指標が前記第２の体感温度指標より低ければ、前記冷房運転をオフ制御、前記自然換気動作をオフ制御、前記機械換気動作をオフ制御することが好ましい。
【００１１】
本発明の環境制御システムは、空間の内部を冷房する冷房運転を行う空調装置と、前記空間の内部と前記空間の外部との間で自然換気動作を行う自然換気装置と、前記空間の内部における人の体感温度を表す第１の体感温度指標、および前記空間の外部における人の体感温度を表す第２の体感温度指標を導出する指標導出部と、前記第１の体感温度指標と前記第２の体感温度指標とを比較した第１の比較結果、前記第１の体感温度指標を、第１の閾値、前記第１の閾値以下である第２の閾値、前記第２の閾値未満である第３の閾値のそれぞれと比較した第２の比較結果に基づいて、前記空調装置の前記冷房運転および前記自然換気装置の前記自然換気動作をそれぞれ制御する環境制御装置とを備え、前記環境制御装置は、前記第１の体感温度指標が前記第１の閾値以上である場合、前記冷房運転をオン制御、前記自然換気動作をオフ制御し、前記第１の体感温度指標が前記第２の閾値未満、前記第３の閾値以上である場合、前記第２の体感温度指標が前記第１の体感温度指標より低ければ、前記冷房運転をオフ制御、前記自然換気動作をオン制御し、前記第１の体感温度指標が前記第２の体感温度指標より低ければ、前記冷房運転をオフ制御、前記自然換気動作をオフ制御し、前記第１の体感温度指標が前記第３の閾値未満である場合、前記第２の体感温度指標が前記第１の体感温度指標より低ければ、前記冷房運転をオフ制御、前記自然換気動作をオフ制御し、前記第１の体感温度指標が前記第２の体感温度指標より低ければ、前記冷房運転をオフ制御、前記自然換気動作をオン制御することを特徴とする。
【発明の効果】
【００１２】
以上説明したように、本発明では、屋内が冷え過ぎているとき、自然換気によって屋内の温熱環境が低コストで改善され、屋内の人の快適性が向上する。さらに、環境制御装置は、空調装置および自然換気装置を、空間の内部における人の体感温度を表す第１の体感温度指標、および空間の外部における人の体感温度を表す第２の体感温度指標に基づいて制御する。したがって、人が暑さ、寒さを感じる温熱感覚を考慮した温熱環境の制御が行われるので、人の快適性を向上させるための温熱環境制御の精度が向上する。したがって、本発明では、空間内の冷え過ぎを抑制でき、且つ人の快適性を向上させるための温熱環境制御の精度を向上させることができるという効果がある。
【図面の簡単な説明】
【００１３】
【図１】実施形態の環境制御システムの構成を示すブロック図である。
【図２】同上の環境制御装置の動作を示すフローチャート図である。
【図３】同上のコントローラによるアルゴリズム選択を示す概念図である。
【発明を実施するための形態】
【００１４】
以下、本発明の実施の形態を図面に基づいて説明する。
【００１５】
（実施形態）
図１は、環境制御システムの構成を示す。
【００１６】
環境制御システムは、環境制御装置１、制御機器２、環境情報検出部３、目標温度設定部４、人検出部５、表示装置６、指標導出部７を備える。各部の相互間の接続は、有線、無線のいずれでもよい。
【００１７】
制御機器２は、住宅の居室、オフィス、工場等の空間８内部の温熱環境を制御する機器である。制御機器２は、空調装置２１、機械換気装置２２、自然換気装置２３で構成される。なお、空間８の外部とは屋外のことである。以降、空間８の内部を屋内、空間８の外部を屋外と称す。
【００１８】
空調装置２１は、エアーコンディショナで構成されて、屋内を冷房する冷房運転を行う。
【００１９】
機械換気装置２２は、換気扇、通風ファン等の強制送風手段を備えており、この強制送風手段が動作することによって、屋内と屋外との間で空気を入れ替える機械換気動作（強制換気動作）を行う。
【００２０】
自然換気装置２３は、空間８の壁面、天井面等に設けられた開閉可能な窓、がらり、通気口、換気口等で構成される。自然換気装置２３は、屋内と屋外との間を連通させる通気路を開閉可能に構成されており、通気路を開くことによって自然換気動作を行い、通気路を閉じることによって自然換気動作を停止する。この自然換気動作は、屋内と屋外との間の気圧差、温度差等によって、外気を屋内に取り込むことができる。
【００２１】
環境制御装置１は、制御機器２の各装置を、屋内における人の体感温度を表す体感温度指標Ｔ１（℃）（第１の体感温度指標）、および屋外における人の体感温度を表す体感温度指標Ｔ２（℃）（第２の体感温度指標）に基づいて制御する。以降、屋内における人の体感温度を表す体感温度指標Ｔ１を「屋内温度指標Ｔ１」、屋外における人の体感温度を表す体感温度指標Ｔ２を「屋外温度指標Ｔ２」と略称する。
【００２２】
環境情報検出部３は、屋内情報検出部３１、屋外情報検出部３２、風情報検出部３３で構成され、屋内および屋外の各環境情報（温度、湿度、風速等）を検出する。屋内情報検出部３１は、屋内の温度、湿度（屋内温度、屋内湿度）を測定し、屋内温度、屋内湿度の測定データを環境制御装置１へ出力する。屋外情報検出部３２は、屋外の温度、湿度（屋外温度、屋外湿度）を測定し、屋外温度、屋外湿度の測定データを環境制御装置１へ出力する。風情報検出部３３は、屋内および屋外の風速を測定し、屋内風速、屋外風速の測定データを環境制御装置１へ出力する。
【００２３】
目標温度設定部４は、ユーザの操作または外部機器からの設定信号によって屋内の目標温度を設定し、目標温度のデータを環境制御装置１へ出力する。
【００２４】
人検出部５は、屋内に人が存在しているか否かを検出し、人の在・不在のデータを環境制御装置１へ出力する。
【００２５】
表示装置６は、液晶画面等の表示画面を有して、環境制御装置１によって表示制御される。そして、表示装置６は、環境制御装置１による制御機器２の制御状況、制御履歴、環境情報検出部３の各測定データ、目標温度設定部４が設定した目標温度のデータ、人検出部５の検出結果等を表示画面上に表示する。
【００２６】
環境制御装置１は、コントローラ１１、第１メモリ１２、第２メモリ１３、第３メモリ１４、指標導出部７を備える。なお、指標導出部７は、環境制御装置１に設けられる構成、環境制御装置１とは別体に設けられる構成のいずれであってもよい。
【００２７】
第１メモリ１２は、屋内情報検出部３１から取得した屋内温度、屋内湿度の測定データの履歴、風情報検出部３３から取得した屋内風速の測定データの履歴を記憶する屋内情報メモリである。第２メモリ１３は、屋外情報検出部３２から取得した屋外温度、屋外湿度の測定データの履歴、風情報検出部３３から取得した屋外風速の測定データの各履歴を記憶する屋外情報メモリである。
【００２８】
指標導出部７は、屋内温度指標Ｔ１，屋外温度指標Ｔ２を導出する。人の体感温度は、温度、湿度、風速に依存しており、屋内温度指標Ｔ１，屋外温度指標Ｔ２は、以下のように導出される。屋内温度指標Ｔ１は、［Ｔ１＝屋内温度＋（屋内湿度−６０）×０．１−屋内風速］で導出される。屋外温度指標Ｔ２は、［Ｔ２＝屋外温度＋（屋外湿度−６０）×０．１−屋外風速］で導出される。この屋内温度指標Ｔ１，屋外温度指標Ｔ２の導出式は、湿度が１０％増加すると体感温度が１℃上昇し、風速が１ｍ／ｓ増加すると体感温度が１℃下降するという説に基づいている。
【００２９】
なお、屋内温度指標Ｔ１の導出に用いる屋内温度、屋内湿度は、屋内情報検出部３１から取得した最新の測定データ、または第１メモリ１２に記憶された所定期間内の測定データの平均値である。さらに、屋内温度指標Ｔ１の導出に用いる屋内風速は、風情報検出部３３から取得した最新の測定データ、または第１メモリ１２に記憶された所定期間内の測定データの平均値である。
【００３０】
また、屋外温度指標Ｔ２の導出に用いる屋内温度、屋内湿度は、屋外情報検出部３２から取得した最新の測定データ、または第２メモリ１３に記憶された所定期間内の測定データの平均値である。さらに、屋外温度指標Ｔ２の導出に用いる屋外風速は、風情報検出部３３から取得した最新の測定データ、または第２メモリ１３に記憶された所定期間内の測定データの平均値である。
【００３１】
コントローラ１１は、屋内温度指標Ｔ１，屋外温度指標Ｔ２に基づいて制御機器２を制御し、屋内の温熱環境を制御する。空調装置２１は、コントローラ１１によるオン制御時に冷房運転を行い、コントローラ１１によるオフ制御時に冷房運転を停止する。機械換気装置２２は、コントローラ１１によるオン制御時に機械換気動作を行い、コントローラ１１によるオフ制御時に機械換気動作を停止する。自然換気装置２３は、コントローラ１１によるオン制御時に自然換気動作を行い、コントローラ１１によるオフ制御時に自然換気動作を停止する。
【００３２】
図２のフローチャートは、環境制御装置１の動作を示す。環境制御装置１は、環境情報検出部３から、屋内および屋外の環境情報（温度、湿度、風速）を取得する（ステップＳ１）。次に、指標導出部７は、環境情報検出部３から取得した各データ（必要に応じて、第１メモリ１２、第２メモリ１３に記憶している各データを含む）に基づいて、屋内温度指標Ｔ１，屋外温度指標Ｔ２を導出する（ステップＳ２）。次に、コントローラ１１は、所定のアルゴリズムに基づいて、制御機器２の制御モードを選択する（ステップＳ３）。制御モードには、空調モード、機械換気モード、自然換気モード、停止モードがある。
【００３３】
そして、コントローラ１１は、選択された制御モードが空調モードであるか否かを判定する（ステップＳ４）。コントローラ１１は、選択された制御モードが空調モードである場合、空調装置２１の冷房運転をオン制御し、機械換気装置２２の機械換気動作をオフ制御し、自然換気装置２３の自然換気動作をオフ制御する（ステップＳ７）。コントローラ１１は、選択された制御モードが空調モードでない場合、選択された制御モードが機械換気モードであるか否かを判定する（ステップＳ５）。コントローラ１１は、選択された制御モードが機械換気モードである場合、空調装置２１の冷房運転をオフ制御し、機械換気装置２２の機械換気動作をオン制御し、自然換気装置２３の自然換気動作をオン制御する（ステップＳ８）。コントローラ１１は、選択された制御モードが機械換気モードでない場合、選択された制御モードが自然換気モードであるか否かを判定する（ステップＳ６）。コントローラ１１は、選択された制御モードが自然換気モードである場合、空調装置２１の冷房運転をオフ制御し、機械換気装置２２の機械換気動作をオフ制御し、自然換気装置２３の自然換気動作をオン制御する（ステップＳ９）。コントローラ１１は、選択された制御モードが自然換気モードでない場合、選択された制御モードが停止モードであると判定して、空調装置２１の冷房運転、機械換気装置２２の機械換気動作、自然換気装置２３の自然換気動作をオフ制御する（ステップＳ１０）。
【００３４】
なお、機械換気モードにおいて、空調装置２１の冷房運転をオフ制御し、機械換気装置２２の機械換気動作をオン制御し、自然換気装置２３の自然換気動作をオフ制御してもよい。
【００３５】
次に、コントローラ１１が制御機器２の制御モードを選択する際に用いるアルゴリズムについて、図３を用いて説明する。
【００３６】
図３は、コントローラ１１によるアルゴリズム選択の概念図であり、屋外温度指標Ｔ２を横軸とし、屋内温度指標Ｔ１を縦軸とする。コントローラ１１は、指標導出部７が導出した屋内温度指標Ｔ１，屋外温度指標Ｔ２に応じて、制御モードを選択する。なお、図３において、直線１００はＴ１＝Ｔ２を示す。そして、直線１００を境界にして屋内温度指標Ｔ１側の領域１０１では、屋外温度指標Ｔ２が屋内温度指標Ｔ１より低い（屋内より屋外のほうが涼しい）。また、直線１００を境界にして屋内温度指標Ｔ２側の領域１０２では、屋内温度指標Ｔ１が屋外温度指標Ｔ２より低い（屋外より屋内のほうが涼しい）。なお、直線１００上は、領域１０１，１０２のいずれに含めてもよい。
【００３７】
コントローラ１１は、指標導出部７が導出した屋内温度指標Ｔ１と屋外温度指標Ｔ２とを比較する（第１の比較結果）。
【００３８】
また、コントローラ１１は、指標導出部７が導出した屋内温度指標Ｔ１を、閾値Ｈ１（第１の閾値），閾値Ｈ２（第２の閾値），閾値Ｈ３（第３の閾値）と比較する（第２の比較結果）。閾値Ｈ１，Ｈ２，Ｈ３の大小関係は、閾値Ｈ１＞閾値Ｈ２＞閾値Ｈ３となる。屋内温度指標Ｔ１には、屋内の人が快適であると感じる快適範囲Ｃ１があり、快適範囲Ｃ１の上限が閾値Ｈ１、快適範囲Ｃ１の下限が閾値Ｈ３となる。屋内の目標温度は、閾値Ｈ１＞目標温度＞閾値Ｈ３の範囲内で設定されており、閾値Ｈ２は、目標温度設定部４が設定した屋内の目標温度に設定される。
【００３９】
そして、コントローラ１１は、第１の比較結果、第２の比較結果に基づいて、空調装置２１の冷房運転、機械換気装置２２の機械換気動作、自然換気装置２３の自然換気動作をそれぞれ制御する。
【００４０】
具体的に、コントローラ１１は、屋内温度指標Ｔ１が閾値Ｈ１以上である場合、空調モードを選択し、空調装置２１の冷房運転をオン制御、機械換気装置２２の機械換気動作をオフ制御、自然換気装置２３の自然換気動作をオフ制御する。
【００４１】
また、屋内温度指標Ｔ１が閾値Ｈ１未満、閾値Ｈ２以上である場合、コントローラ１１は、以下の処理を行う。まず、屋内温度指標Ｔ１，屋外温度指標Ｔ２の交点が領域１０１に属している場合（Ｔ１＞Ｔ２）、機械換気モードを選択し、空調装置２１の冷房運転をオフ制御、機械換気装置２２の機械換気動作をオン制御、自然換気装置２３の自然換気動作をオン制御する。一方、屋内温度指標Ｔ１，屋外温度指標Ｔ２の交点が領域１０２に属している場合（Ｔ１＜Ｔ２）、停止モードを選択し、空調装置２１の冷房運転、機械換気装置２２の機械換気動作、自然換気装置２３の自然換気動作をオフ制御する。
【００４２】
また、屋内温度指標Ｔ１が閾値Ｈ２未満、閾値Ｈ３以上である場合、コントローラ１１は、以下の処理を行う。まず、屋内温度指標Ｔ１，屋外温度指標Ｔ２の交点が領域１０１に属している場合（Ｔ１＞Ｔ２）、自然換気モードを選択し、空調装置２１の冷房運転をオフ制御、機械換気装置２２の機械換気動作をオフ制御、自然換気装置２３の自然換気動作をオン制御する。一方、屋内温度指標Ｔ１，屋外温度指標Ｔ２の交点が領域１０２に属している場合（Ｔ１＜Ｔ２）、停止モードを選択し、空調装置２１の冷房運転、機械換気装置２２の機械換気動作、自然換気装置２３の自然換気動作をオフ制御する。
【００４３】
また、屋内温度指標Ｔ１が閾値Ｈ３未満である場合、コントローラ１１は、以下の処理を行う。まず、屋内温度指標Ｔ１，屋外温度指標Ｔ２の交点が領域１０１に属している場合（Ｔ１＞Ｔ２）、停止モードを選択し、空調装置２１の冷房運転、機械換気装置２２の機械換気動作、自然換気装置２３の自然換気動作をオフ制御する。一方、屋内温度指標Ｔ１，屋外温度指標Ｔ２の交点が領域１０２に属している場合（Ｔ１＜Ｔ２）、自然換気モードを選択し、空調装置２１の冷房運転をオフ制御、機械換気装置２２の機械換気動作をオフ制御、自然換気装置２３の自然換気動作をオン制御する。
【００４４】
例えば、夜更け等に屋内温度指標Ｔ１が下がって、屋内の人が寒く感じる場合がある（屋内温度指標Ｔ１＜閾値Ｈ３）。このとき、明け方等に外気が温まって屋外温度指標Ｔ２が上昇して屋内温度指標Ｔ１を上回れば、自然換気装置２３の自然換気動作をオン制御して、屋内に温かい外気を取り込むので、屋内の冷え過ぎを抑制できる。而して、屋内が冷え過ぎているとき、自然換気によって屋内の温熱環境が低コストで改善され、屋内の人の快適性が向上する。
【００４５】
さらに、コントローラ１１は、制御機器２の各装置を、屋内における人の体感温度を表す屋内温度指標Ｔ１、および屋外における人の体感温度を表す屋外温度指標Ｔ２に基づいて制御する。したがって、人が暑さ、寒さを感じる温熱感覚を考慮した温熱環境制御が行われるので、人の快適性を向上させるための温熱環境制御の精度が向上する。
【００４６】
そして、コントローラ１１による制御機器２の制御内容は、制御ログメモリとして機能する第３メモリ１４に順次記憶される。表示装置６は、第３メモリ１４を参照して、環境制御装置１による制御機器２の制御状況、制御履歴を表示できる。
【００４７】
また、環境制御システムは、閾値Ｈ１＝閾値Ｈ２として、機械換気装置２２を省略してもよい。この場合も、上記同様の効果を得ることができる。
【００４８】
また、指標導出部７は、屋内温度指標Ｔ１，屋外温度指標Ｔ２を、［Ｔ１＝屋内温度＋（屋内湿度−６０）×０．１］、［Ｔ２＝屋外温度＋（屋外湿度−６０）×０．１］にしたがって導出してもよい。なお、屋内温度指標Ｔ１，屋外温度指標Ｔ２の導出式は、人の体感温度を表す式であればよく、本実施形態で示した式に限定されるものではない。指標導出部７は、例えばミスナール体感温度、リンケ体感温度を表す式を用いて、屋内温度指標Ｔ１，屋外温度指標Ｔ２を導出してもよい。
【００４９】
上述の環境制御装置１は、空間８の内部を冷房する冷房運転を行う空調装置２１、空間８の内部と空間８の外部との間で自然換気動作を行う自然換気装置２３を、空間８の内部における人の体感温度を表す屋内温度指標Ｔ１（第１の体感温度指標）、および空間８の外部における人の体感温度を表す屋外温度指標Ｔ２（第２の体感温度指標）に基づいて制御する環境制御装置である。
【００５０】
そして、環境制御装置１は、コントローラ１１を備える。コントローラ１１は、屋内温度指標Ｔ１と屋外温度指標Ｔ２とを比較した第１の比較結果、屋内温度指標Ｔ１を、閾値Ｈ１（第１の閾値）、閾値Ｈ１以下である閾値Ｈ２（第２の閾値）、閾値Ｈ２未満である閾値Ｈ３（第３の閾値）のそれぞれと比較した第２の比較結果に基づいて、空調装置２１の冷房運転および自然換気装置２３の自然換気動作をそれぞれ制御する。
【００５１】
そして、コントローラ１１は、屋内温度指標Ｔ１が閾値Ｈ１以上である場合、冷房運転をオン制御、自然換気動作をオフ制御する。
【００５２】
そして、コントローラ１１は、屋内温度指標Ｔ１が閾値Ｈ２未満、閾値Ｈ３以上である場合、屋外温度指標Ｔ２が屋内温度指標Ｔ１より低ければ、冷房運転をオフ制御、自然換気動作をオン制御する。また、コントローラ１１は、屋内温度指標Ｔ１が屋外温度指標Ｔ２より低ければ、冷房運転をオフ制御、自然換気動作をオフ制御する。
【００５３】
そして、コントローラ１１は、屋内温度指標Ｔ１が閾値Ｈ３未満である場合、屋外温度指標Ｔ２が屋内温度指標Ｔ１より低ければ、冷房運転をオフ制御、自然換気動作をオフ制御する。また、コントローラ１１は、屋内温度指標Ｔ１が屋外温度指標Ｔ２より低ければ、冷房運転をオフ制御、自然換気動作をオン制御する。
【００５４】
また、上述の環境制御システムは、空間８の内部を冷房する冷房運転を行う空調装置２１と、空間８の内部と空間８の外部との間で自然換気動作を行う自然換気装置２３とを備える。さらに環境制御システムは、空間８の内部における人の体感温度を表す屋内温度指標Ｔ１（第１の体感温度指標）、および空間８の外部における人の体感温度を表す屋外温度指標Ｔ２（第２の体感温度指標）を導出する指標導出部７を備える。さらに、環境制御システムは、屋内温度指標Ｔ１と屋外温度指標Ｔ２とを比較した第１の比較結果、屋内温度指標Ｔ１を、閾値Ｈ１（第１の閾値）、閾値Ｈ１以下である閾値Ｈ２（第２の閾値）、閾値Ｈ２未満である閾値Ｈ３（第３の閾値）のそれぞれと比較した第２の比較結果に基づいて、空調装置２１の冷房運転および自然換気装置２３の自然換気動作をそれぞれ制御する環境制御装置１を備える。
【００５５】
そして、環境制御装置１は、屋内温度指標Ｔ１が閾値Ｈ１以上である場合、冷房運転をオン制御、自然換気動作をオフ制御する。
【００５６】
そして、環境制御装置１は、屋内温度指標Ｔ１が閾値Ｈ２未満、閾値Ｈ３以上である場合、屋外温度指標Ｔ２が屋内温度指標Ｔ１より低ければ、冷房運転をオフ制御、自然換気動作をオン制御する。また、環境制御装置１は、屋内温度指標Ｔ１が屋外温度指標Ｔ２より低ければ、冷房運転をオフ制御、自然換気動作をオフ制御する。
【００５７】
そして、環境制御装置１は、屋内温度指標Ｔ１が閾値Ｈ３未満である場合、屋外温度指標Ｔ２が屋内温度指標Ｔ１より低ければ、冷房運転をオフ制御、自然換気動作をオフ制御する。また、環境制御装置１は、屋内温度指標Ｔ１が屋外温度指標Ｔ２より低ければ、冷房運転をオフ制御、自然換気動作をオン制御する。
【符号の説明】
【００５８】
１  環境制御装置
２  制御機器
１１  コントローラ
２１  空調装置
２２  機械換気装置
２３  自然換気装置
７  指標導出部
８  空間
【図１】
2015094538.tif 000003
【図２】
2015094538.tif 000004
【図３】
2015094538.tif 000005